(57)【要約】      （修正有）【課題】スライドファスナーの開閉で簡単且つ確実に収納部を上下方向に伸縮でき、不使用時にはコンパクトな折り畳み形態に保持できるバッグを提供する。【解決手段】折り畳み可能な柔軟な素材で形成したバッグの収納部２の上下方向の略中間位置に伸縮調整収納部５を区画形成し、この伸縮調整収納部５の表面側に伸縮調整用スライドファスナー１０を装着し、この伸縮調整用スライドファスナー１０は上下一対の上下ファスナー部１１，１２とこの上下ファスナー部を上下方向に開閉するスライド係合部材１３とで構成し、この上下ファスナー部は平行ファスナー部分１１Ａ，１２Ａと斜めファスナー部分１１Ｂ，１２Ｂとでそれぞれ構成する。また、コンパクトに折り畳んだバッグを第１止着具１５と垂れ紐１６の先端部に取付けた第２止着具１７を係着して、コンパクトな折り畳み形態を保持できるようにする。【選択図】図１
0003189728.tif 000002
【実用新案登録請求の範囲】
【請求項１】
上部を出し入れ口とした柔軟な素材から成る袋状の収納部と、この収納部を提げるための手提げ部又は肩掛け部として機能する提げ部を設けたバッグであり、前記収納部に該収納部を上下方向に伸縮するための一定の伸縮調整幅の伸縮調整収納部を該収納部の上下方向の適位置に区画形成し、この伸縮調整収納部の周方向に平行に延びる上下周縁部を上下方向に伸ばした開状態と、この上下周縁部を上下方向に縮めた閉じ状態に開閉可能とする伸縮調整用スライドファスナーを前記伸縮調整収納部の表面側に装着し、この伸縮調整用スライドファスナーは、前記伸縮調整収納部の表面側に装着した上下一対の上ファスナー部と下ファスナー部と、この上下ファスナー部にスライド係合され、上下ファスナー部を上下方向に開閉するスライド係合部材とで構成し、この上下ファスナー部は、前記伸縮調整収納部の上下周縁部の対応するファスナー端部位置から該上下周縁部に沿って該上下周縁部の略全周に亘り互いに平行に延ばして装着した平行ファスナー部分と、この平行ファスナー部分に連続して該伸縮調整収納部の上下方向における略中間部の交わりファスナー端部位置まで互いが交わるように斜めに延ばして装着した斜めファスナー部分とで構成したバッグ。
【請求項２】
少なくとも前記収納部が前記伸縮調整収納部を間にして上収納部と下収納部に外観的に区分けできる様に、前記伸縮調整収納部を前記収納部の上下方向の適位置に区画形成した請求項１に記載のバッグ。
【請求項３】
前記収納部及び提げ部を任意の形状に折り畳み可能な柔軟な素材で形成し、且つ、前記伸縮調整収納部の形成範囲を除いた前記収納部の正面部又は背面部の表面側の略中央位置に第１止着具を取付け、この第１止着具を取付けた前記収納部の同じ面部の正面部又は背面部の上部に垂れ紐を取付け、この垂れ紐の先端部に反転状態において前記第１止着具と着脱自在に係着される第２止着具を取付けた請求項１に記載のバッグ。
【請求項４】
前記収納部及び提げ部を任意の形状に折り畳み可能な柔軟な素材で形成し、少なくとも前記収納部が前記伸縮調整収納部を間にして上収納部と下収納部に外観的に区分けできる様に、前記伸縮調整収納部を前記収納部の上下方向の適位置に区画形成し、且つ、前記上収納部の正面部又は背面部の表面側の略中央位置に第１止着具を取付け、この第１止着具を取付けた前記上収納部の同じ面部の正面部又は背面部の上部に垂れ紐を取付け、この垂れ紐の先端部に反転状態において前記第１止着具と着脱自在に係着される第２止着具を取付けた請求項１に記載のバッグ。
【請求項５】
前記第１止着具が雄又は雌のホック、前記第２止着具が前記第１止着具と着脱自在に嵌着される雄又は雌のホックである請求項３又は４に記載のバッグ。
【考案の詳細な説明】
【技術分野】
【０００１】
本考案はバッグに係り、特にバッグ収納部を上下方向に伸縮でき、しかも不使用時にはコンパクトな折り畳み形態に保持できるようにしたバッグに関する。
【背景技術】
【０００２】
上部を出し入れ口とした柔軟な素材から成る袋状の収納部と、この収納部を提げるための手提げ部又は肩掛け部として機能する柔軟な素材から成る提げ部を設けたバッグであり、このバッグを不使用時にはコンパクトな折り畳み形態に保持できるようにしたものが公知である（例えば、特許文献１）。
【０００３】
しかし、この公知のバッグはバッグ収納部の収納空間を大きく又は小さく変えることができないため、例えばバッグ内に収納能力を超えた大量の物を収納したい場合には、これに対処できない。
【先行技術文献】
【特許文献】
【０００４】
【特許文献１】実用新案登録第３１６４３８２号公報
【考案の概要】
【考案が解決しようとする課題】
【０００５】
このような実情に鑑み、本考案はスライドファスナーの開閉によって簡単且つ確実にバッグ収納部の全体長さを上下方向に伸縮できるようにし、バッグ収納部の収納空間を大きく又は小さく変形できるバッグを提供しようとするものである。
【０００６】
また、本考案はバッグとして使用しない時には、コンパクトな折り畳み形態に保持できるバッグを提供すると共に、コンパクトな折り畳み形態を保持した状態でバッグ収納部の伸縮機能を有するスライドファスナーがコンパクトな折り畳み保持形態の表面側に顕著に表われ、一般的な折り畳み保持形態のバッグとはデザイン的に差別化できるバッグを提供しようとするものである。
【課題を解決するための手段】
【０００７】
前述した課題を解決するため、本考案（請求項１の考案）は、上部を出し入れ口とした柔軟な素材から成る袋状の収納部と、この収納部を提げるための手提げ部又は肩掛け部として機能する提げ部を設けたバッグであり、前記収納部に該収納部を上下方向に伸縮するための一定の伸縮調整幅の伸縮調整収納部を該収納部の上下方向の適位置（好ましくは略中間位置）に区画形成し、この伸縮調整収納部の周方向に平行に延びる上下周縁部を上下方向に伸ばした開状態と、この上下周縁部を上下方向に縮めた閉じ状態に開閉可能とする伸縮調整用スライドファスナーを前記伸縮調整収納部の表面側に装着し、この伸縮調整用スライドファスナーは、前記伸縮調整収納部の表面側に装着した上下一対の上ファスナー部と下ファスナー部と、この上下ファスナー部にスライド係合され、上下ファスナー部を上下方向に開閉するスライド係合部材とで構成し、この上下ファスナー部は、前記伸縮調整収納部の上下周縁部の対応するファスナー端部位置から該上下周縁部に沿って該上下周縁部の略全周に亘り互いに平行に延ばして装着した平行ファスナー部分と、この平行ファスナー部分に連続して略半周に亘り該伸縮調整収納部の上下方向における略中間部の交わりファスナー端部位置まで互いが交わるように斜めに延ばして装着した斜めファスナー部分とで構成したバッグを提供する。
【０００８】
この考案（請求項１の考案）のバッグによれば、スライド係合部材を上下ファスナー部の斜めファスナー部分の交わりファスナー端部位置から平行ファスナー部分のファスナー端部位置までスライド係合させた伸縮調整用スライドファスナーの全閉状態では、伸縮調整収納部が上下方向に強制的に縮小され、収納部の上下方向の全体長さを比較的短くすることができ、バッグの収納部を比較的小さくすることができる。また、全閉位置のスライド係合部材を上下ファスナー部の平行ファスナー部分のファスナー端部位置から斜めファスナー部分の交わりファスナー端部位置までスライド係合させた伸縮調整用スライドファスナーの全開状態では、伸縮調整収納部を上下方向に伸長でき、収納部の上下方向の全体長さを伸長でき、バッグの収納部の収納空間を大きくできる。よって、通常は、伸縮調整用スライドファスナーを全閉した状態で使用し、バッグの収納部内に大量の物を収納したい場合には、伸縮調整用スライドファスナーを全開して、伸縮調整収納部を上下方向に伸ばし、収納部の上下方向の全体長さを伸長さて、バッグの収納部の収納空間を大きくして用いれば、大量の物を収納できる。
【０００９】
また、本考案（請求項２の考案）は、少なくとも前記収納部が前記伸縮調整収納部を間にして上収納部と下収納部に外観的に区分けできる様に、前記伸縮調整収納部を前記収納部の上下方向の適位置（好ましくは略中間位置）に区画形成したバッグを提供する。
【００１０】
この考案（請求項２の考案）のバッグによれば、閉じた伸縮調整用スライドファスナーを間にしてバッグの収納部が上収納部と下収納部に外観的に区分けされ、又は全開した伸縮調整用スライドファスナーによって上下方向に伸びた状態に表された伸縮調整収納部を間にしてバッグの収納部が上収納部と下収納部に外観的に区分けされた形状となり、単なる収納部から成る一般的なバッグとデザイン的に差別化でき、需要者の購買意欲を高めることができる。
【００１１】
また、本考案（請求項３の考案）は、前記収納部及び提げ部を任意の形状に折り畳み可能な柔軟な素材で形成し、且つ、前記伸縮調整収納部の形成範囲を除いた前記収納部の正面部又は背面部の表面側の略中央位置に第１止着具（例えば、雄又は雌のホック）を取付け、この第１止着具を取付けた前記収納部の同じ面部の正面部又は背面部の上部に表面側に垂れ下がる垂れ紐を取付け、この垂れ紐の先端部に反転状態において前記第１止着具と着脱自在に係着される第２止着具（例えば、雄又は雌のホック）を取付けたバッグを提供する。
【００１２】
また、本考案（請求項４の考案）は、前記収納部及び提げ部を任意の形状に折り畳み可能な柔軟な素材で形成し、少なくとも前記収納部が前記伸縮調整収納部を間にして上収納部と下収納部に外観的に区分けできる様に、前記伸縮調整収納部を前記収納部の上下方向の適位置（好ましくは略中間位置）に区画形成し、且つ、前記上収納部の正面部又は背面部の表面側の前記伸縮調整収納部に近い略中央位置に第１止着具（例えば、雄又は雌のホック）を取付け、この第１止着具を取付けた前記上収納部の同じ面部の正面部又は背面部の上部に表面側に垂れ下がる垂れ紐を取付け、この垂れ紐の先端部に反転状態において前記第１止着具と着脱自在に係着される第２止着具（例えば、雄又は雌のホック）を取付けたバッグを提供する。
【００１３】
この考案（請求項３、４の考案）のバッグは、扁平に広げた折り畳み形状から更にコンパクトな小さな略方形状に折り畳み可能であり、このコンパクトな折り畳み形態を保持可能である。先ず、伸縮調整用スライドファスナーを閉じたバッグを扁平な広げ状態に折り畳む。次いで、扁平な広げ状態に折り畳まれたバッグの両側を第１止着具の取付け面とは反対側の面に向けて左右方向に折り返し、横幅を小さくした縦長の略方形状に折り畳む。次いで、この縦長の折り畳み形態のバッグの下部側（下収納部の下部側）を第１止着具の取付け面とは反対側の面に向けて折り返し、折り返された下部側（下収納部の下部側）の上に折り返された提げ部を含む上部側（上収納部の上部側）を重ねた状態に折り返し、横幅と縦幅を共に小さくしたコンパクトな略方形状に折り畳む。この最終的な折り畳み形態において、一方を折り返し端部（上収納部による折り返し端部）とし、他方を離間端部（上収納部と下収納部による）とする略Ｖ字状の折り畳み形状を呈し、この略Ｖ字状の折り畳み形態の一面側に第１止着具（例えば、雄又は雌のホック）と閉じた伸縮調整用スライドファスナーが表れ、この略Ｖ字状の折り畳み形態の反対面側の離間端部（上収納部の）に垂れ紐の取付け端部が位置するようにしてある。次いで、垂れ紐の先端部を略Ｖ字状の離間端部側に掛け渡して第１止着具側に反転させ、反転した垂れ紐の第２止着具（例えば、雄又は雌のホック）を第１止着具（例えば、雄又は雌のホック）に止着して、略方形状のコンパクトな小さな折り畳み形態を保持できるようにしてある。これにより、バッグとして使用しない時には、携帯に便利なコンパクトな折り畳み形状を保持できる。しかも、本考案（請求項４の考案）のバッグは、コンパクトな折り畳み形態を保持した状態で、閉じた伸縮調整用スライドファスナーが一面側に横切る様に表われると共にこのスライドファスナーと第１止着具に止着された閉じた垂れ紐が十字状に交わった状態に表われるため、単に垂れ紐でコンパクトな折り畳み形態を保持した他のバッグとはデザイン的に差別化でき、需要者の購買意欲を高めることができる。
【考案の効果】
【００１４】
本考案によれば、伸縮調整用スライドファスナーの開閉によって、バッグ収納部の伸縮調整収納部を上下方向に伸縮でき、バッグの収納部の全体長さを上下方向に伸縮でき、バッグの収納部の収納空間を大きく又は小さく変形できる。よって、伸縮調整用スライドファスナーを閉じた比較的小さな収納空間の収納能力を超えた大量の物をバッグ内に収納したい場合は、伸縮調整用スライドファスナーを全開して、伸縮調整収納部を上下方向に伸ばし、収納部の上下方向の全体長さを伸長さて、バッグの収納部の収納空間を大きくして用いれば、大量の物を収納できる。
【００１５】
また、本考案（請求項３、４、５の考案）によれば、バッグとして使用しない時には、コンパクトな折り畳み形態を保持した状態で持ち運びでき便利である。しかも、コンパクトな折り畳み形態を保持した状態で閉じた伸縮調整用スライドファスナーが一面側に横切る様に表われると共にこのスライドファスナーと閉じた垂れ紐が十字状に交わった状態に表われ、単に垂れ紐でコンパクトな折り畳み形態を保持した他のバッグとはデザイン的に差別化でき、需要者の購買意欲を高めることができる。
【図面の簡単な説明】
【００１６】
【図１】本考案のバッグの斜面図で、（Ａ）は収納部を伸ばした状態の斜面図、（Ｂ）は収納部を縮めた状態の斜面図である。
【図２】収納部を縮めたバッグを扁平な広げ状態に折り畳んだ状態の正面図である。
【図３】本考案のバッグをコンパクトな折り畳み形態に保持した状態を示す斜面図である。
【考案を実施するための形態】
【００１７】
本考案の実施形態を図１〜図３に基づき説明する。図１に示したように、本考案のバッグ１は、上部を出し入れ口３とした柔軟な素材から成る袋状の収納部２と、この収納部２を提げるための手提げ部又は肩掛け部として機能する柔軟な素材から成る提げ部４を設けたバッグ（例えばトートバッグ）であり、図１（Ａ）に示したように、前記収納部２に該収納部を上下方向に伸縮するための折り畳み可能な柔軟な素材から成る一定の伸縮調整幅の伸縮調整収納部５を該収納部２の上下方向の略中間位置に区画形成してある。図１の実施形態では伸縮調整収納部５を収納部２の上下方向の略中間位置に区画形成し、前記収納部２が伸縮調整収納部５を間にして略同じ上下方向の長さの上収納部２Ａと底部をもつ下収納部２Ｂに外観的に区分けしてあるが、伸縮調整収納部５を図示した位置より下方又は上方に区画形成しても良い。
【００１８】
上部の出し入れ口３は、単に上部を開口した開口部としたものでも良いし、図１に示したようにスライドファスナー（開閉用スライドファスナー）６によって開閉自在に二分された柔軟な素材から成る覆い部７を開口部に装着したものでも良い。
【００１９】
そして、この伸縮調整収納部５の周方向に平行に延びる上下周縁部５Ａ，５Ｂを上下方向に伸ばした開状態と、この上下周縁部５Ａ，５Ｂを上下方向に縮めた閉じ状態に開閉可能とする伸縮調整用スライドファスナー１０を前記伸縮調整収納部５の表面側に装着してある。この伸縮調整用スライドファスナー１０は、前記伸縮調整収納部５の表面側に装着した上下一対の上ファスナー部１１と下ファスナー部１２と、この上下ファスナー部１１，１２にスライド係合され、上下ファスナー部１１，１２を上下方向に開閉するスライド係合部材１３とで構成し、この上下ファスナー部１１，１２は、前記伸縮調整収納部５の上下周縁部５Ａ，５Ｂの対応するファスナー端部位置１１ａ，１２ａから該上下周縁部５Ａ，５Ｂに沿って該上下周縁部５Ａ，５Ｂの略全周に亘り互いに平行に延ばして装着した平行ファスナー部分１１Ａ，１２Ａと、この平行ファスナー部分１１Ａ，１２Ａに連続して略半周に亘り該伸縮調整収納部５の上下方向における略中間部の交わりファスナー端部位置１１ｂ，１２ｂまで互いが交わるように斜めに延ばして装着した斜めファスナー部分１１Ｂ，１２Ｂとで構成してある。
【００２０】
本考案のバッグによれば、図１（Ａ）に示した伸縮調整用スライドファスナー１０の全開状態では、伸縮調整収納部５を上下方向に伸長でき、収納部２の上下方向の全体長さを伸長でき、バッグの収納部２の収納空間を大きくできる。また、図１（Ａ）に示した全開位置にあるスライド係合部材１３を上下ファスナー部１１，１２の斜めファスナー部分１１Ｂ，１２Ｂの交わりファスナー端部位置１１ｂ，１２ｂから平行ファスナー部分１１Ａ，１２Ａのファスナー端部位置１１ａ，１２ａまでスライド係合させた図１（Ｂ）に示した伸縮調整用スライドファスナー１０の全閉状態では、伸縮調整収納部５が上下方向に強制的に縮小され、収納部２の上下方向の全体長さを比較的短くすることができ、バッグの収納部２を比較的小さくすることができる。よって、例えば、通常は、図１（Ｂ）に示したように伸縮調整用スライドファスナー１０を全閉した状態で使用し、バッグ内に大量の物を収納したい場合には、図１（Ａ）に示したように伸縮調整用スライドファスナー１０を全開して、伸縮調整収納部５を上下方向に伸ばし、収納部２の上下方向の全体長さ伸長さて、収納部２の収納空間を大きくして用いれば、大量の物を収納できる。
【００２１】
本考案のバッグは、前記収納部２（伸縮調整収納部５も含む）、提げ部４及び覆い部７が任意の形状に折り畳み可能な柔軟な素材で形成され、図１、図２に示したように、前記上収納部２Ａの正面部の表面側の前記伸縮調整収納部５に近い略中央位置に第１止着具（雄のホック）１５を取付け、この第１止着具（雄のホック）１５を取付けた前記上収納部２Ａの同じ面部（正面部）の上部に表面側に垂れ下がる垂れ紐１６を取付け、この垂れ紐１６の先端部に反転状態において前記第１止着具（雄のホック）１５と着脱自在に係着（嵌着）される第２止着具（雌のホック）１７を取付けてある。なお、垂れ紐１６の基端側には第２止着具（雌のホック）１７と着脱自在に係着（嵌着）される第３止着具（雄のホック）１８を取付けてあり、バッグの使用時に第２止着具（雌のホック）１７と第３止着具（雄のホック）１８を止着することによって、垂れ紐１６をループ形状にでき、垂れ紐１６を装飾化できるようにしてある。
【００２２】
本考案のバッグは、図２、図３に示したように、扁平に広げた折り畳み形状からコンパクトな小さな略方形状に折り畳み可能であり、このコンパクトな折り畳み形態に保持可能である。先ず、図２に示したように、伸縮調整用スライドファスナー１０を閉じたバッグを扁平な広げ状態に折り畳む。次いで、扁平な広げ状態に折り畳まれたバッグの両側を図２の折り畳み線（Ｆ1）で第１止着具（雄のホック）１５の取付け面とは反対側の面に向けて左右方向に折り返し、横幅を小さくした縦長の略方形状に折り畳む。次いで、この縦長の折り畳み形態のバッグの下部側（下収納部２Ｂの下部側）を図２の折り畳み線（Ｆ２）で第１止着具（雄のホック）１５の取付け面とは反対側の面に向けて折り返し、折り返された下部側（下収納部２Ｂの下部側）の上に図２の折り畳み線（Ｆ３）で第１止着具（雄のホック）１５の取付け面とは反対側の面に向けて折り返された提げ部４を含む上部側（上収納部２Ａの上部側）を図２の折り畳み線（Ｆ４）で重ねた状態に折り返し、図３に示したような横幅と縦幅を共に小さくしたコンパクトな略方形状に折り畳む。この最終的な折り畳み形態において、一方を上収納部２Ａの折り畳み線（Ｆ４）による折り返し端部とし、他方を上収納部２Ａの折り畳み線（Ｆ３）と下収納部２Ｂの折り畳み線（Ｆ２）による離間端部とする略Ｖ字状の折り畳み形状を呈し、この略Ｖ字状の折り畳み形態の一面側に第１止着具（雄のホック）１５と閉じた伸縮調整用スライドファスナー１０が表れ、この略Ｖ字状の折り畳み形態の反対面側の上収納部２Ａの離間端部に垂れ紐１６の取付け端部が位置するようにしてある（図３を参照）。次いで、図３に一点鎖線で示したように、垂れ紐１６の先端部を略Ｖ字状の離間端部側に掛け渡して第１止着具（雄のホック）１５側に反転させ、反転した垂れ紐１６の第２止着具（雌のホック）１７を第１止着具（雄のホック）１５に止着して、略方形状のコンパクトな小さな折り畳み形態を保持できるようにしてある。これにより、バッグとして使用しない時には、携帯に便利なコンパクトな折り畳み形状を保持できるようにしてある。しかも、図３に示したように、本考案のバッグは、コンパクトな折り畳み形態を保持した状態で、閉じた伸縮調整用スライドファスナー１０が一面側に横切る様に表われると共にこのスライドファスナー１０と第１止着具（雄のホック）１５に止着された垂れ紐１６（図３に一点鎖線で示した垂れ紐１６）が十字状に交わった状態に表われるため、単に垂れ紐でコンパクトな折り畳み形態を保持した他のバッグとはデザイン的に差別化でき、需要者の購買意欲を高めることができる。
【符号の説明】
【００２３】
１  バッグ
２  収納部
２Ａ  上収納部
２Ｂ  下収納部
３  出し入れ口
４  提げ部
５  伸縮調整収納部
５Ａ  上周縁部
５Ｂ  下周縁部
６  ススライドファスナー（開閉用スライドファスナー）
７  覆い部
１０  伸縮調整用スライドファスナー
１１  上ファスナー部
１１Ａ  上ファスナー部の平行ファスナー部分
１１Ｂ  上ファスナー部の斜めファスナー部分
１２  下ファスナー部
１２Ａ  下ファスナー部の平行ファスナー部分
１２Ｂ  下ファスナー部の斜めファスナー部分
１３  スライド係合部材
１５  第１止着具（雄のホック）
１６  垂れ紐
１７  第２止着具（雌のホック）
Ｆ１，Ｆ２，Ｆ３，Ｆ４  折り畳み線
【図１】
0003189728.tif 000003
【図２】
0003189728.tif 000004
【図３】
0003189728.tif 000005